(57)【要約】【課題】平行光部分の光路長を調整するといった簡単な構成で、駆動時の環境に影響されることなく、戻り光の影響を確実に回避する。【解決手段】対物レンズ１１を保持するレンズホルダ１に対してコリメータレンズ２３を保持するオプトベース２を接近及び離隔可能に駆動する光路長調整用アクチュエータ３及びアクチュエータ駆動回路７と、レーザダイオード２１を駆動して出力パワーを制御するＡＰＣ回路４と、ＡＰＣ回路４によるレーザダイオード２１の駆動電流値を検出する駆動電流値検出回路５とを備え、光路長制御回路６は、検出された駆動電流値の変動量が一定量を超えた場合には、アクチュエータ駆動回路７により光路長調整用アクチュエータ３を駆動して、対物レンズ１１とコリメータレンズ１２との間の平行光部分の光路長を調整することにより、駆動電流値の変動量を一定量以下に抑える。【選択図】  図１
2004259333.tif 000002
【特許請求の範囲】
【請求項１】
少なくとも対物レンズやコリメータレンズなどのレンズ系が光学系とともに一体的に保持された光ピックアップ装置において、
前記対物レンズを保持するレンズホルダと前記コリメータレンズを保持するオプトベースとを分離するとともに、前記レンズホルダに対して前記オプトベースを接近及び離隔可能に駆動するオプトベース駆動手段と、
半導体レーザを駆動して出力パワーを制御するレーザ駆動手段と、
前記レーザ駆動手段による半導体レーザの駆動電流値を検出する駆動電流値検出手段と、
前記駆動電流値検出手段により検出された駆動電流値の変動量が一定量を超えた場合には、前記オプトベース駆動手段により前記オプトベースを駆動して対物レンズとコリメータレンズとの間の平行光部分の光路長を調整することにより、前記駆動電流値の変動量を一定量以下に抑える光路長制御手段とを備え、
前記光路長制御手段は、前記駆動電流値の変動量が一定量を超えた場合には、前記オプトベースを前記対物レンズに対して近接または離隔のいずれか一方向に移動させるとともに、そのときの変動量の増減を判定し、変動量が減少している場合には、前記駆動電流値の変動量が一定量以下になるまでそのまま一方向への移動を継続する一方、変動量が増加している場合には、前記オプトベースの移動方向を逆方向に切り換えるとともに、前記駆動電流値の変動量が一定量以下になるまでそのまま逆方向への移動を継続することを特徴とする光ピックアップ装置。
【請求項２】
対物レンズを保持するレンズホルダに対してコリメータレンズを保持するオプトベースを接近及び離隔可能に駆動するオプトベース駆動手段と、
半導体レーザを駆動して出力パワーを制御するレーザ駆動手段と、
前記レーザ駆動手段による半導体レーザの駆動電流値を検出する駆動電流値検出手段と、
前記駆動電流値検出手段により検出された駆動電流値の変動量が一定量を超えた場合には、前記オプトベース駆動手段により前記オプトベースを駆動して対物レンズとコリメータレンズとの間の平行光部分の光路長を調整することにより、前記駆動電流値の変動量を一定量以下に抑える光路長制御手段とを備えたことを特徴とする光ピックアップ装置。
【発明の詳細な説明】
【０００１】
【発明の属する技術分野】
本発明は、光ディスクに対する情報の書き込みや読み取りを行う光ピックアップ装置に関する。
【０００２】
【従来の技術】
従来の光ピックアップ装置は、図４に模式的に示すように、レーザ光のスポットを光ディスク６０に照射するための対物レンズ５１やコリメータレンズ５２などのレンズ系が、半導体レーザ５３や光信号検出用フォトダイオード５４及びレーザ光量検出用フォトダイオード５５などの光学系とともにホルダ５６によって一体的に保持されている。
【０００３】
そして、光ピックアップ装置の駆動時には、半導体レーザ５３の発光量をレーザ光量検出用フォトダイオード５５で検出してＡＰＣ（ａｕｔｏｍａｔｉｃ  ｐｏｗｅｒ  ｃｏｎｔｒｏｌｌｅｒ）回路５７に入力し、ＡＰＣ回路５７はこの検出光量値に基づき、発光量が一定となるように半導体レーザ５３を駆動制御するようになっている。
【０００４】
このような光ピックアップ装置では、半導体レーザ５３に戻り光があると、半導体レーザ５３の発光が不安定になってレーザノイズが発生するといった問題があった。この問題は、特に出射光と戻り光の光路差が半導体レーザ５３のコヒーレント長に近づくと顕著になる。コヒーレント長は出射光の波長に依存し、駆動時の環境によって変化する。
【０００５】
そこで、従来の光ピックアップ装置では、半導体レーザの駆動電流に高周波を重畳して戻り光の影響を軽減していた。
【０００６】
また、発光素子と戻り光との干渉強度が最大強度のピーク値の１／１０以下になるように発光素子と光ディスクとの距離を設定することによって、戻り光による干渉の影響を低減した光ピックアップ装置も提案されている（例えば、特許文献１参照）。
【０００７】
【特許文献１】
特開平６−３０２００３号公報
【０００８】
【発明が解決しようとする課題】
しかしながら、半導体レーザの駆動電流に高周波を重畳して戻り光の影響を軽減する技術では、光ディスクの反射による戻り光の光量が大きく、光路差がコヒーレント長に近くなると、高周波の重畳だけでは戻り光の影響を無くすことができないといった問題があった。
【０００９】
また、上記特許文献１記載の技術は、発光素子と戻り光との干渉強度が最大強度のピーク値の１／１０以下になるように発光素子と光ディスクとの距離を予め設定しておくものであるが、発光素子である半導体レーザの周波数は温度等によって変化するため、半導体レーザと戻り光との干渉強度のピーク値も変化する。そのため、半導体レーザと光ディスクとの距離を予め設定したのでは、このような半導体レーザの周波数変化に対応できず、戻り光の影響を完全には無くすことができないといった問題があった。
【００１０】
本発明はかかる問題点を解決すべく創案されたもので、その目的は、平行光部分の光路長を調整するといった簡単な構成で、駆動時の環境に影響されることなく、戻り光の影響を確実に回避することのできる光ピックアップ装置を提供することにある。
【００１１】
【課題を解決するための手段】
本発明の光ピックアップ装置は、少なくとも対物レンズやコリメータレンズなどのレンズ系が光学系とともに一体的に保持された光ピックアップ装置において、対物レンズを保持するレンズホルダとコリメータレンズを保持するオプトベースとを分離する。
【００１２】
そして、レンズホルダに対してオプトベースを接近及び離隔可能に駆動するオプトベース駆動手段と、半導体レーザを駆動して出力パワーを制御するレーザ駆動手段と、レーザ駆動手段による半導体レーザの駆動電流値を検出する駆動電流値検出手段と、駆動電流値検出手段により検出された駆動電流値の変動量が一定量を超えた場合には、オプトベース駆動手段によりオプトベースを駆動して対物レンズとコリメータレンズとの間の平行光部分の光路長を調整することにより、駆動電流値の変動量を一定量以下に抑える光路長制御手段とを備えた構成とする。
【００１３】
具体的には、光路長制御手段は、駆動電流値の変動量が一定量を超えた場合には、オプトベースを対物レンズに対して近接または離隔のいずれか一方向に移動させるとともに、そのときの変動量の増減を判定し、変動量が減少している場合には、駆動電流値の変動量が一定量以下になるまでそのまま一方向への移動を継続する一方、変動量が増加している場合には、オプトベースの移動方向を逆方向に切り換えるとともに、駆動電流値の変動量が一定量以下になるまでそのまま逆方向への移動を継続するものである。
【００１４】
すなわち、駆動電流値の変動量が一定量を超えるのは、主として半導体レーザからの出射光と戻り光との光路差が、半導体レーザのコヒーレント長に近くなることが原因である。具体的には、光路差がコヒーレント長の±０．２ｍｍ以内になると、その影響が顕著に現れる。
【００１５】
そこで、本発明では、半導体レーザからの出射光と戻り光との光路差が、半導体レーザのコヒーレント長に近くなったことを、半導体レーザの駆動電流値の変動量で検出し、変動量が一定量を超えた場合には、対物レンズとコリメータレンズとの間の平行光部分の光路長を調整して、出射光と戻り光との光路差がコヒーレント長から外れるようにすることで、戻り光の影響を回避するものである。
【００１６】
この場合、上記したように、変動量の増減を判定し、変動量が増加している場合には、オプトベースの移動方向を逆方向に切り換えることにより、オプトペースの少ない移動距離で駆動電流値の変動量を一定量以下に抑えることができる。つまり、戻り光の影響をより早く回避することができるものである。
【００１７】
【発明の実施の形態】
以下、本発明の実施の形態について、図面を参照して説明する。
図１は、本発明の光ピックアップ装置の構造を概略的に示すとともに、信号処理系の機能ブロックを示す説明図である。
【００１８】
この光ピックアップ装置は、レーザ光のスポットを光ディスク４０に照射するための対物レンズ１１を保持するレンズホルダ１と、コリメータレンズ２３を保持するオプトベース２とを分離するとともに、レンズホルダ１とオプトベース２との間に、レンズホルダ１に対してオプトベース２を接近及び離隔可能に駆動するための光路長調整用アクチュエータ３が介挿されている。この光路長調整用アクチュエータ３は、アクチュエータ駆動回路７によって駆動されるようになっている。
【００１９】
レンズホルダ１には、対物レンズ１１のフォーカンシグ制御を行うためのフォーカンシグ用アクチュエータ１２が設けられている。
【００２０】
オプトベース２には、レーザダイオード２１、レーザダイオード２１とコリメータレンズ２３との間に配置された回折格子２２、コリメータレンズ２３の上方に配置されたビームスプリッタ２４、光ディスク４０で反射された反射光を検出する光信号検出用フォトダイオード２５、レーザダイオード２１からのレーザ光量を検出するレーザ光量検出用フォトダイオード２６などが設けられている。ただし、図面にはあくまで主要な構成要素のみが図示されている。
【００２１】
また、レーザ光量検出用フォトダイオード２６の出力はＡＰＣ回路４に導かれており、ＡＰＣ回路４の出力は、レーザダイオード２１と、レーザダイオード２１の駆動電流値を検出する駆動電流値検出回路５とに導かれている。さらに、駆動電流値検出回路５の出力は光路長制御回路６に導かれており、光路長制御回路６の出力はアクチュエータ駆動回路７に導かれた構成となっている。ただし、図１には、本発明に関係する主要な部分のみを図示しており、光ディスク４０の信号再生系や信号記録系については図示を省略している。
【００２２】
次に、上記構成の光ピックアップ装置による記録または再生動作時の光路長調整処理動作について、図２に示すフローチャート及び図３に示す波形図を参照して説明する。
【００２３】
光ディスク４０が図示しないプレーヤ本体にローディングされて（ステップＳ１）、記録動作または再生動作が開始されると、図示しないスピンドルモータが回転し、光ピックアップ装置が駆動を開始してレーザダイオード２１からレーザ光が照射され、フォーカシングサーボが開始される（ステップＳ２）。
【００２４】
レーザダイオード２１からレーザ光が照射されると、レーザ光量検出用フォトダイオード２６は、レーザダイオード２１の発光量を検出し、その検出結果をＡＰＣ回路４に入力する。ＡＰＣ回路４は、この検出光量値に基づき、発光量が一定となるようにレーザダイオード２１を駆動制御する（ステップＳ３）。
また、ＡＰＣ回路４によるレーザダイオード２１の駆動電流値は駆動電流値検出回路５によって常に検出され、光路長制御回路６に入力される。
【００２５】
光路長制御回路６は、入力された駆動電流値の変動量を常に監視する（ステップＳ４）。すなわち、駆動電流値の変動量と、内部に予め設定されいてる一定量とを比較して（ステップＳ５）、変動量が一定量を超えたかどうかを監視している。
【００２６】
このような駆動制御中において、レーザダイオード２１に戻り光があり、しかもレーザダイオード２１からの出射光と戻り光との光路差がレーザダイオード２１のコヒーレント長に近くなると（具体的には、光路差がコヒーレント長の±０．２ｍｍ以内になると）、レーザダイオード２１の発光が不安定になってレーザノイズが発生し、図３に示すように、駆動電流値Ｉａの変動量が増加（符号４５により示す）して、一定量αを超えることになる。
【００２７】
光路長制御回路６は、駆動電流値Ｉａの変動量が一定量αを超えた場合には、アクチュエータ駆動回路７により光路長調整用アクチュエータ３を駆動して、オプトベース２（すなわち、コリメータレンズ２３）を対物レンズ１１に対して近接または離隔のいずれか一方向（予め設定された一方向）に移動させることにより、平行光部分の光路長を調整する（ステップＳ６）。そして、そのときの変動量αの増減を判定する（ステップＳ７）。
【００２８】
その結果、変動量αが減少している場合（ステップＳ７でＮｏと判断された場合）には、駆動電流値Ｉａの変動量が一定量α以下になるまで、そのまま一方向への移動を継続する（ステップＳ８，ステップＳ９）。そして、駆動電流値Ｉａの変動量が一定量α以下になると（ステップＳ９でＹｅｓと判断されると）、光路長制御回路６は、アクチュエータ駆動回路７を制御して光路長調整用アクチュエータ３の駆動を停止し、オプトベース２（すなわち、コリメータレンズ２３）の一方向への移動を中止する（ステップＳ１０）。
【００２９】
一方、変動量が増加している場合（ステップＳ７でＹｅｓと判断された場合）には、オプトベース２（すなわち、コリメータレンズ２３）の移動方向を逆方向に切り換える（ステップＳ１１）。そして、駆動電流値Ｉａの変動量が一定量α以下になるまで、そのまま逆方向への移動を継続する（ステップＳ１２，ステップＳ１３）。そして、駆動電流値Ｉａの変動量が一定量α以下になると（ステップＳ１３でＹｅｓと判断されると）、光路長制御回路６は、アクチュエータ駆動回路７を制御して光路長調整用アクチュエータ３の駆動を停止し、オプトベース２（すなわち、コリメータレンズ２３）の逆方向への移動を中止する（ステップＳ１４）。
【００３０】
ここで、ステップＳ７において変動量の増減を判定し、その判定結果に応じて移動方向を切り換えているのは、次の理由による。
【００３１】
駆動電流値Ｉａの変動量が一定量αを超えたと判定された時点が、例えば図３に示すＴ１のタイミングであった場合、この位置からオプトベース２をＸ２方向に移動させるよりも、Ｘ１方向に移動させた方が、駆動電流値Ｉａの変動量をより早く一定量α以下に抑えることができる。
【００３２】
この場合、最初の移動方向がＸ２方向であった場合には、図３に示すように移動開始時点では変動量が増加する方向になるので、光路長制御回路６は、この変動量の増加を確認すると、オプトベース２の移動方向をＸ２方向からＸ１方向に直ちに切り換える。すなわち、上記の処理では、ステップＳ７での判断がＹｅｓとなるので、ステップＳ１１に移行して、オプトベース２の移動方向を一方向（Ｘ２方向）から逆方向（Ｘ１方向）に切り換えている。これにより、戻り光の影響をより早く回避することができるものである。
【００３３】
なお、上記実施形態では、駆動電流値Ｉａの変動量が一定量α以下になった時点でオプトベース２の移動を中止するようにしているが（ステップＳ９〜ステップＳ１０、及びステップＳ１３〜ステップＳ１４）、変動量が一定量α以下になっても、駆動電流値Ｉａが変動する前のレベルに戻るまでオプトベース２を移動させるようにしてもよい。
【発明の効果】
本発明によれば、戻り光の影響を半導体レーザの駆動電流値の変動量に基づいて検出し、平行光部分の光路長を調整するといった簡単な構成で、駆動時の環境に影響されることなく、戻り光の影響を確実に回避することができる。また、変動量の増減を判定し、変動量が増加している場合には、オプトベースの移動方向を逆方向に切り換えることにより、オプトペースの少ない移動距離で駆動電流値の変動量を一定量以下に抑えることができる。つまり、戻り光の影響をより早く回避することができる。また、本発明によれば、面振れやスキュー調整による高さずれ、出射光の波長変動などにも対応することができる。
【図面の簡単な説明】
【図１】本発明の光ピックアップ装置の構造を概略的に示すとともに、信号処理系の機能ブロックを示す説明図である。
【図２】本発明の光ピックアップ装置による記録または再生動作時の光路長調整処理動作を説明するためのフローチャートである。
【図３】半導体レーザの駆動電流値と戻り光によるノイズとの関係を示す波形図である。
【図４】従来の光ピックアップ装置構造を概略的に示す説明図である。
【符号の説明】
１  レンズホルダ
２  オプトベース
３  光路長調整用アクチュエータ
４  ＡＰＣ回路
５  駆動電流値検出回路
６  光路長制御回路
７  アクチュエータ駆動回路
１１  対物レンズ
１２  フォーカンシグ用アクチュエータ
２１  レーザダイオード
２２  回折格子
２３  コリメータレンズ
２４  ビームスプリッタ
２５  光信号検出用フォトダイオード
２６  レーザ光量検出用フォトダイオード
４０  光ディスク
【図１】
2004259333.tif 000003
【図２】
2004259333.tif 000004
【図３】
2004259333.tif 000005
【図４】
2004259333.tif 000006